(57)【要約】【課題】圧縮機が停止されている期間において、クランクケースヒータに通電することにより生じる待機電力をより低減できる、ことを目的とする。【解決手段】空気調和機は、圧縮機１０にＣＨ４０が付設され、ＣＨ４０に通電することにより圧縮機が加熱可能とされている。そして、制御部４１が、圧縮機１０が停止されている期間であって圧縮機１０が起動される前に、冷媒の温度と相関関係のあるパラメータである過熱度に基づいて、ＣＨ４０を開始するタイミングを決定する。【選択図】図２
2015004473.tif 000002
【特許請求の範囲】
【請求項１】
圧縮機にクランクケースヒータが付設され、前記クランクケースヒータに通電することにより前記圧縮機が加熱可能とされている空気調和機において、
前記圧縮機が停止されている期間であって前記圧縮機が起動される前に、冷媒の温度と相関関係のあるパラメータに基づいて、前記クランクケースヒータの通電を開始するタイミングを決定する制御手段を備える空気調和機。
【請求項２】
前記パラメータは、冷媒の過熱度である請求項１記載の空気調和機。
【請求項３】
前記制御手段は、前記圧縮機が停止されている期間であって前記圧縮機が起動される前に、前記パラメータ及び外気温度に基づいて、前記クランクケースヒータの通電を開始するタイミングを決定する請求項１又は請求項２記載の空気調和機。
【請求項４】
前記圧縮機の起動は、予め定められたスケジュールに従って行われる請求項１から請求項３の何れか１項記載の空気調和機。
【請求項５】
制御状態を示す表示灯が制御基板に備えられ、
前記表示灯は、制御が所定時間以上安定している場合に消灯する請求項１から請求項４の何れか１項記載の空気調和機。
【請求項６】
圧縮機にクランクケースヒータが付設され、前記クランクケースヒータに通電することにより前記圧縮機が加熱可能とされている空気調和機の制御方法であって、
前記圧縮機が停止されている期間であって前記圧縮機が起動される前に、冷媒の温度と相関関係のあるパラメータに基づいて、前記クランクケースヒータの通電を開始するタイミングを決定する空気調和機の制御方法。
【発明の詳細な説明】
【技術分野】
【０００１】
本発明は、空気調和機及び空気調和機の制御方法に関するものである。
【背景技術】
【０００２】
空気調和機を長時間停止しておくと、冷媒が液状態となって圧縮機内に溜り込み、その状態で圧縮機を起動すると、液圧縮により圧縮機を損傷する虞がある。このため、特に寒冷地向けの空気調和機では、圧縮機にクランクケースヒータを付設し、空気調和機を運転する前にクランクケースヒータに通電して圧縮機を加熱することにより、液冷媒の溜り込みによる液圧縮を防止している。
【０００３】
しかしながら、圧縮機の運転停止中にクランクケースヒータに継続的な通電がされると、クランクケースヒータの消費電力が増し、空気調和機の待機電力が増加する。
【０００４】
この課題を解決するために、特許文献１には、圧縮機が停止状態にあるときにはクランクケースヒータを作動させた後、冷凍機油温度が所定温度以上となった時点でクランクケースヒータの作動を停止させて、圧縮機の再起動に備える空気調和機が記載されている。
【先行技術文献】
【特許文献】
【０００５】
【特許文献１】特許第３７９９９４０号公報
【発明の概要】
【発明が解決しようとする課題】
【０００６】
しかしながら、特許文献１に記載の空気調和機は、圧縮機の停止状態において、冷凍機油温度が所定温度未満になる毎にクランクケースヒータを繰り返し通電させる必要があり、待機電力の低減が限定的であった。
【０００７】
本発明は、このような事情に鑑みてなされたものであって、圧縮機が停止されている期間において、クランクケースヒータに通電することにより生じる待機電力をより低減できる、空気調和機及び空気調和機の制御方法を提供することを目的とする。
【課題を解決するための手段】
【０００８】
上記課題を解決するために、本発明の空気調和機及び空気調和機の制御方法は以下の手段を採用する。
【０００９】
本発明の第一態様に係る空気調和機は、圧縮機にクランクケースヒータが付設され、前記クランクケースヒータに通電することにより前記圧縮機が加熱可能とされている空気調和機において、前記圧縮機が停止されている期間であって前記圧縮機が起動される前に、冷媒の温度と相関関係のあるパラメータに基づいて、前記クランクケースヒータの通電を開始するタイミングを決定する制御手段を備える。
【００１０】
本構成によれば、空気調和機は、圧縮機にクランクケースヒータが付設され、クランクケースヒータに通電することにより圧縮機が加熱可能とされている。空気調和機は、停止されている圧縮機を起動する前に、クランクケースヒータに通電して圧縮機を加熱する。これにより、液冷媒は、加熱されて気化するので、液冷媒の溜り込みによる液圧縮が防止される。
【００１１】
しかしながら、クランクケースヒータの通電を適切なタイミングで開始しないと、クランクケースヒータの通電を必要以上に行うこととなり、待機電力が増加する。
そこで、圧縮機が停止されている期間であって圧縮機が起動される前に、冷媒の温度と相関関係のあるパラメータに基づいて、クランクケースヒータの通電を開始するタイミングを決定する。すなわち、圧縮機が起動を開始する時間に上記パラメータが予め定められた目標値に達するように、クランクケースヒータの通電を開始するタイミングが決定される。
具体的には、冷媒の温度が、圧縮機の運転開始時に溜まり込みを解消できる温度に達するように、冷媒の温度と相関関係のあるパラメータの値が低いほど、クランクケースヒータの通電を開始するタイミングが早くされる。一方、冷媒の温度と相関関係のあるパラメータの値が高いほど、クランクケースヒータの通電を開始するタイミングが遅くされる。これにより、クランクケースヒータの通電時間が必要以上に長くなることが抑制される。
【００１２】
従って、本構成は、圧縮機が停止されている期間において、クランクケースヒータに通電することにより生じる待機電力をより低減できる。
【００１３】
上記第一態様では、前記パラメータが冷媒の過熱度であることが好ましい。
【００１４】
液冷媒の溜まり込みは、過熱度が十分に高い場合には少ない。また、圧縮機の下部温度が十分に高いと液冷媒の溜まり込みは少ない。しかし、圧縮機の下部温度では、外気温度の影響も受けやすく、必ずしも冷媒の状態を正しく計測しているとは限らない。一方、冷媒の過熱度は、冷媒の温度のみならず、冷媒の圧力とも相関のあるパラメータである。このため、冷媒の過熱度の計測は、圧縮機の下部温度の計測に比べて、冷媒の状態をより正しく計測していることとなる。
従って、本構成は、クランクケースヒータに通電するタイミングをより正確に決定できる。
【００１５】
上記第一態様では、前記制御手段が、前記圧縮機が停止されている期間であって前記圧縮機が起動される前に、前記パラメータ及び外気温度に基づいて、前記クランクケースヒータの通電を開始するタイミングを決定することが好ましい。
【００１６】
クランクケースヒータを通電しても、外気温度の違いによって、圧縮機の温度、すなわち冷媒の温度の上昇の度合いは異なってくる。
そこで、本構成は、冷媒の温度と相関関係のあるパラメータ及び外気温度に基づいて、クランクケースヒータの通電を開始するタイミングを決定する。すなわち、上記パラメータの値が同じでも、外気温度が低いほど、クランクケースヒータの通電を開始するタイミングが早くされ、外気温度が高いほど、クランクケースヒータの通電を開始するタイミングが遅くされる。
従って、本構成は、クランクケースヒータに通電するタイミングをより正確に決定できる。
【００１７】
上記第一態様では、前記圧縮機の起動が、予め定められたスケジュールに従って行われることが好ましい。
【００１８】
本構成は、クランクケースヒータに通電するタイミングをより正確に決定できる。
【００１９】
上記第一態様では、制御状態を示す表示灯が制御基板に備えられ、前記表示灯が、制御が所定時間以上安定している場合に消灯することが好ましい。
【００２０】
本構成は、空気調和機の消費電力をより低減できる。
【００２１】
本発明の第二態様に係る空気調和機の制御方法は、圧縮機にクランクケースヒータが付設され、前記クランクケースヒータに通電することにより前記圧縮機が加熱可能とされている空気調和機の制御方法であって、前記圧縮機が停止されている期間であって前記圧縮機が起動される前に、冷媒の温度と相関関係のあるパラメータに基づいて、前記クランクケースヒータの通電を開始するタイミングを決定する。
【発明の効果】
【００２２】
本発明によれば、圧縮機が停止されている期間において、クランクケースヒータに通電することにより生じる待機電力をより低減できる、という優れた効果を有する。
【図面の簡単な説明】
【００２３】
【図１】本発明の第１実施形態に係るマルチ空気調和機の概略構成図である。
【図２】本発明の第１実施形態に係るマルチ空気調和機のクランクケースヒータを備えた圧縮機周りの構成図である。
【図３】本発明の第１実施形態に係る過熱度とヒータＯＮ時間との関係を示すグラフである。
【図４】本発明の第１実施形態に係るＣＨ通電処理の流れを示すフローチャートである。
【図５】本発明の第２実施形態に係る過熱度とヒータＯＮ時間との関係を示すグラフである。
【発明を実施するための形態】
【００２４】
以下に、本発明に係る空気調和機及び空気調和機の制御方法の一実施形態について、図面を参照して説明する。
【００２５】
〔第１実施形態〕
以下、本発明の第１実施形態について説明する。
図１には、本発明の第１実施形態に係るマルチ空気調和機の概略構成図が示され、図２には、そのクランクケースヒータを備えた圧縮機周りの構成図が示されている。
マルチタイプの空気調和機１は、１台の室外機２に対して、複数台の室内機３Ａ，３Ｂが室外機２から導出されるガス側配管４及び液側配管５の間に分岐器６を介して互いに並列に接続される。
【００２６】
室外機２は、冷媒を圧縮するインバータ駆動の圧縮機１０と、冷媒ガス中から潤滑油を分離する油分離器１１と、冷媒の循環方向を切換える四方切換弁１２と、冷媒と外気とを熱交換させる室外熱交換器１３と、室外熱交換器１３と一体的に構成されている過冷却コイル１４と、室外側膨張弁（ＥＥＶＨ）１５と、液冷媒を貯留するレシーバ１６と、液冷媒に過冷却を与える過冷却熱交換器１７と、過冷却熱交換器１７に分流される冷媒量を制御する過冷却用膨張弁（ＥＥＶＳＣ）１８と、圧縮機１０に吸入される冷媒ガスから液分を分離し、ガス分のみを圧縮機１０側に吸入させるアキュームレータ１９と、ガス側操作弁２０と、液側操作弁２１とを備える。
【００２７】
室外機２側の上記各機器は、冷媒配管２２を介して公知の如く接続され、室外側冷媒回路２３を構成している。また、室外機２には、室外熱交換器１３に対して外気を通風する室外ファン２４が設けられているとともに、油分離器１１と圧縮機１０の吸入配管との間に、油分離器１１内で吐出冷媒ガスから分離された潤滑油を所定量ずつ圧縮機１０側に戻すための油戻し回路２５が設けられる。
【００２８】
ガス側配管４及び液側配管５は、室外機２のガス側操作弁２０及び液側操作弁２１に接続される冷媒配管であり、現場での据え付け施工時に、室外機２とそれに接続される複数台の室内機３Ａ，３Ｂとの間の距離に応じて、その配管長が設定される。ガス側配管４及び液側配管５の途中には、適宜数の分岐器６が設けられ、該分岐器６を介して適宜台数の室内機３Ａ，３Ｂが接続される。これによって、密閉された１系統の冷凍サイクル（冷媒回路）７が構成される。
【００２９】
室内機３Ａ，３Ｂは、室内空気を冷媒と熱交換させて室内の空調に供する室内熱交換器３０と、室内側膨張弁（ＥＥＶＣ）３１と、室内空気を室内熱交換器３０に循環させる室内ファン３２とを備えており、室内側の分岐ガス側配管４Ａ，４Ｂ及び分岐液側配管５Ａ，５Ｂを介して分岐器６に接続される。
【００３０】
また、圧縮機１０から吐出される冷媒の圧力は、圧力センサ３３によって測定される。
【００３１】
上記の空気調和機１において、冷房運転は以下のように行われる。
圧縮機１０で圧縮され、吐出された高温高圧の冷媒ガスは、油分離器１１で冷媒中に含まれている潤滑油が分離される。その後、冷媒ガスは、四方切換弁１２により室外熱交換器１３側に循環され、室外熱交換器１３で室外ファン２４により送風される外気と熱交換して凝縮液化される。この液冷媒は、過冷却コイル１４で更に冷却された後、室外側膨張弁１５を通過し、レシーバ１６内にいったん貯留される。
【００３２】
レシーバ１６で循環量が調整された液冷媒は、過冷却熱交換器１７を経て液冷媒配管側を流通される過程で、液冷媒配管から分流され、過冷却用膨張弁（ＥＥＶＳＣ）１８で断熱膨張された一部の冷媒と熱交換されて過冷却度が付与される。この液冷媒は、液側操作弁２１を経て室外機２から液側配管５へと導出される。更に液側配管５に導出された液冷媒は、分岐器６を介して各室内機３Ａ，３Ｂの分岐液側配管５Ａ，５Ｂへと分流される。
【００３３】
分岐液側配管５Ａ，５Ｂに分流された液冷媒は、各室内機３Ａ，３Ｂに流入し、室内側膨張弁（ＥＥＶＣ）３１で断熱膨張され、気液二相流となって室内熱交換器３０に流入される。室内熱交換器３０では、室内ファン３２により循環される室内空気と冷媒とが熱交換され、室内空気は冷却されて室内の冷房に供される。一方、冷媒はガス化され、分岐ガス側配管４Ａ，４Ｂを経て分岐器６に至り、他の室内機からの冷媒ガスとガス側配管４で合流される。
【００３４】
ガス側配管４で合流された冷媒ガスは、再び室外機２に戻り、ガス側操作弁２０、四方切換弁１２を経て、過冷却熱交換器１７からの冷媒ガスと合流された後、アキュームレータ１９に導入される。アキュームレータ１９では、冷媒ガス中に含まれている液分が分離され、ガス分のみが圧縮機１０に吸入される。この冷媒は、圧縮機１０において再び圧縮され、以上のサイクルを繰り返すことによって冷房運転が行われる。
【００３５】
一方、暖房運転は、以下のように行われる。
圧縮機１０により圧縮され、吐出された高温高圧の冷媒ガスは、油分離器１１で冷媒中に含まれている潤滑油が分離された後、四方切換弁１２を介してガス側操作弁２０側に循環される。ガス側操作弁２０側に循環された冷媒は、ガス側配管４を経て室外機２から導出され、分岐器６、室内側の分岐ガス側配管４Ａ，４Ｂを経て複数台の室内機３Ａ，３Ｂに導入される。
【００３６】
室内機３Ａ，３Ｂに導入された高温高圧の冷媒ガスは、室内熱交換器３０で室内ファン３２を介して循環される室内空気と熱交換され、室内空気は加熱されて室内の暖房に供される。室内熱交換器３０で凝縮された液冷媒は、室内側膨張弁（ＥＥＶＣ）３１、分岐液側配管５Ａ，５Ｂを経て分岐器６に至り、他の室内機からの冷媒と合流された後、液側配管５を経て室外機２側に戻される。なお、暖房時、室内機３Ａ，３Ｂでは、凝縮器として機能する室内熱交換器３０の冷媒出口温度又は冷媒過冷却度が目標値となるように、室内側膨張弁（ＥＥＶＣ）３１の開度が制御されるようになっている。
【００３７】
室外機２側に戻った冷媒は、液側操作弁２１を経て過冷却熱交換器１７に至り、冷房時の場合と同様に過冷却が付与された後、レシーバ１６に流入され、いったん貯留されることにより循環量が調整される。この液冷媒は、室外側膨張弁（ＥＥＶＨ）１５に供給されて断熱膨張された後、過冷却コイル１４を経て室外熱交換器１３に流入される。
【００３８】
室外熱交換器１３においては、室外ファン２４を介して送風される外気と冷媒とが熱交換され、冷媒は外気から吸熱して蒸発ガス化される。該冷媒は、室外熱交換器１３から四方切換弁１２を経て、過冷却熱交換器１７からの冷媒ガスと合流された後、アキュームレータ１９に導入される。アキュームレータ１９では、冷媒ガス中に含まれている液分が分離されてガス分のみが圧縮機１０に吸入され、圧縮機１０において再び圧縮される。以上のサイクルを繰り返すことによって暖房運転が行われる。
【００３９】
さらに、上記空気調和機１において、圧縮機１０には、図２に示されるように、密閉ハウジング１０Ａの外周にクランクケースヒータ（以下「ＣＨ」という。）４０が付設されている。このＣＨ４０は、圧縮機１０が停止期間中に、圧縮機１０内に冷媒が液状態となって溜り込み、その液冷媒を圧縮機１０が起動時に吸込んで液圧縮を起こし、圧縮機１０が損傷するのを防ぐために設けられるものであり、空気調和機１を運転する前にＣＨ４０に通電して圧縮機１０を加熱することにより、液冷媒を圧縮機１０から追出し、液圧縮を防止する役割を担うものである。
【００４０】
ＣＨ４０は、制御部４１を介して通電のＯＮ／ＯＦＦ制御がされる。制御部４１は、圧縮機１０が停止期間中、ＣＨ４０に対して予め定められたスペックに基づいて常時通電制御する通常運転モード制御部４２と、ＣＨ４０のＯＮタイミングを算出して該ＣＨ４０をＯＮ／ＯＦＦ制御する運転低減モード制御部４３とを備える。制御部４１は、制御モードを通常運転モード又は運転低減モードのいずれかのモードに選択的に切替えできる切替え手段４４を備えており、切替え手段４４は、例えば、リモコン４５側から切替え操作できるように構成される。
【００４１】
なお、制御部４１は、例えば、ＣＰＵ（Central  Processing  Unit）、ＲＡＭ（Random  Access  Memory）、及びコンピュータ読み取り可能な記録媒体等から構成される。そして、各種機能を実現するための一連の処理は、一例として、プログラムの形式で記録媒体等に記録されており、このプログラムをＣＰＵがＲＡＭ等に読み出して、情報の加工・演算処理を実行することにより、各種機能が実現される。
【００４２】
また、制御部４１は、その制御基板上に空気調和機１の制御状態を示す表示灯５０を備える。表示灯５０は、空気調和機１のメンテナンス等に要するものである。表示灯５０は、例えば７セグメントディスプレイであるが、これに限らず、１つ又は複数のＬＥＤ灯であってもよい。
さらに、制御部４１には、圧縮機１０下部の温度（以下「ドーム下温度」という。）を測定するドーム下温度センサ５２による測定値、外気温を測定する外気温センサ４６による測定値、及び圧力センサ３３による測定値が入力される。
【００４３】
通常運転モード制御部４２は、予め定められているスペック記載のＣＨ４０のＯＮ条件を満たす場合、圧縮機１０が停止期間中はＣＨ４０に対して常に通電し、ＣＨ４０をＯＮとして圧縮機１０を加熱する。この場合、ＣＨ４０は、圧縮機１０が起動されると、起動中はＯＦＦとされ、圧縮機１０が停止されると、停止期間中は常にＯＮされるようになる。
【００４４】
このように、空気調和機１は、停止されている圧縮機１０を起動する前に、ＣＨ４０に通電して圧縮機１０を加熱する。これにより、液冷媒は、加熱されて気化するので、液冷媒の溜り込みによる液圧縮が防止される。
しかしながら、ＣＨ４０の通電を適切なタイミングで開始しないと、ＣＨ４０の通電を必要以上に行うこととなり、待機電力が増加する。
【００４５】
そこで、本第１実施形態に係る運転低減モード制御部４３は、圧縮機１０が停止されている期間であって圧縮機１０が起動される前に、冷媒の温度と相関関係のあるパラメータに基づいて、ＣＨ４０の通電を開始するタイミングを決定する。すなわち、圧縮機１０が起動を開始する時間に上記パラメータが予め定められた目標値に達するように、ＣＨ４０の通電を開始するタイミングが決定される。
【００４６】
なお、本第１実施形態に係る上記パラメータは、冷媒の過熱度である。液冷媒の溜まり込みは、過熱度が十分に高い場合には少ないためである。過熱度は、ドーム下温度センサ５２によって測定されたドーム下温度から圧力センサ３３の測定値に基づいて算出される飽和温度を減算することで算出される。
【００４７】
そして、運転低減モード制御部４３は、図３のグラフに示されるような過熱度とＣＨ４０のＯＮ時間（以下「ヒータＯＮ時間」という。）との関係から、ＣＨ４０を通電する時間を算出する。
具体的には、冷媒は、圧縮機１０の運転開始時に溜まり込みを解消できる過熱度に達するように、過熱度が低いほど、ＣＨ４０の通電を開始するタイミングが早くされる。一方、過熱度が高いほど、ＣＨ４０の通電を開始するタイミングが遅くされる。さらに、過熱度が十分に高い場合は、圧縮機１０の停止中にＣＨ４０の通電は行われない。
これにより、ＣＨ４０の通電時間が必要以上に長くなることが抑制される。
【００４８】
過熱度とヒータＯＮ時間との関係は、（１）式のように関数ｆで表わされるが、その関係は図３に示されるような線形でなくてもよい。
ヒータＯＮ時間＝ｆ（過熱度）  ・・・（１）
関数ｆは、圧縮機１０の熱容量、ＣＨ４０の出力、及び圧縮機１０からの放熱量等に基づいて予め決定される。なお、圧縮機１０を起動可能とする過熱度の目標値は、例えば１０〜１５℃である。
【００４９】
また、本第１実施形態に係る制御部４１は、空気調和機１の起動及び停止、すなわち圧縮機１０等の各種構成機器の起動及び停止等を、予め定められたスケジュールに従って行う、所謂スケジュールタイマの機能を備える。制御部４１は、スケジュールタイマが設定されている場合、スケジュールタイマに従って、空気調和機１の停止期間中は、各構成機器に対する不要な電力をカットし、空気調和機１をスリープ状態とする。
【００５０】
そして、運転低減モード制御部４３は、算出したヒータＯＮ時間及びスケジュールに従って、ＣＨ４０を通電する時刻（以下「ＣＨ通電開始時刻」という。）を算出する。例えば、スケジュールタイマによって空気調和機１の起動が午前８時となっている場合、ヒータＯＮ時間が３時間と算出されると、ＣＨ通電開始時刻は午前５時とされる。
【００５１】
なお、ドーム下温度が十分に高いと液冷媒の溜まり込みは少ない。このため、（２）式に示されるように、運転低減モード制御部４３は、ヒータＯＮ時間＝ｆ（ドーム下温度）の関数を用いて、ヒータＯＮ時間を算出してもよい。
しかし、ドーム下温度では、外気温度の影響も受けやすく、必ずしも冷媒の状態を正しく計測しているとは限らない。一方、冷媒の過熱度は、冷媒の温度のみならず、冷媒の圧力とも相関のあるパラメータである。このため、冷媒の過熱度の計測は、圧縮機の下部温度の計測に比べて、冷媒の状態をより正しく計測していることとなる。
従って、冷媒の温度と相関関係のあるパラメータとして過熱度を用いることによって、ＣＨ４０に通電するタイミングをより正確に決定できる。
【００５２】
図４は、圧縮機１０が停止されている期間であって圧縮機１０が起動される前に、運転低減モード制御部４３で実行されるＣＨ４０への通電処理（以下「ＣＨ通電処理」という。）の流れを示すフローチャートである。なお、ＣＨ通電処理は、圧縮機１０が停止されている期間に実行される。
【００５３】
まず、ステップ１００では、過熱度を算出する。
【００５４】
次のステップ１０２では、算出した過熱度に基づいて、ヒータＯＮ時間を算出する。
【００５５】
次のステップ１０４では、算出したヒータＯＮ時間に基づいて、ＣＨ通電開始時刻を算出する。
【００５６】
次のステップ１０６では、現在時刻がＣＨ通電開始時刻に達したか否かを判定し、肯定判定の場合はステップ１０８へ移行し、否定判定の場合はステップ１００へ戻る。
【００５７】
ステップ１０８では、ＣＨ４０の通電を開始する。
【００５８】
なお、ステップ１０６からステップ１００へ戻った場合は、新たに算出した過熱度、ヒータＯＮ時刻に基づいて、新たなＣＨ通電開始時刻を算出する。
【００５９】
また、本実施形態に係る制御部４１は、制御が所定時間以上安定している場合に表示灯５０を消灯する。制御が安定している場合とは、例えば、リモコン４５への操作が無い場合、室外機２の能力に変化がない場合、圧縮機１０の起動及び停止の変更が無い場合である。また、表示灯５０は、スケジュールタイマに応じて消灯する。
これにより、空気調和機１の消費電力がより低減される。
【００６０】
以上説明したように、本第１実施形態に係る空気調和機１は、圧縮機１０にＣＨ４０が付設され、ＣＨ４０に通電することにより圧縮機が加熱可能とされている。そして、制御部４１が、圧縮機１０が停止されている期間であって圧縮機１０が起動される前に、冷媒の温度と相関関係のあるパラメータである過熱度に基づいて、ＣＨ４０を開始するタイミングを決定する。
従って、本第１実施形態に係る空気調和機１は、圧縮機１０が停止されている期間において、ＣＨ４０に通電することにより生じる待機電力をより低減できる。
【００６１】
〔第２実施形態〕
以下、本発明の第２実施形態について説明する。
なお、本第２実施形態に係る空気調和機１の構成は、図１，２に示す第１実施形態に係る空気調和機１の構成と同様であるので説明を省略する。
【００６２】
圧縮機１０が停止されている期間であって圧縮機１０が起動される前に、ＣＨ４０を通電しても、外気温度の違いによって、圧縮機１０の温度、すなわち冷媒の温度の上昇の度合いは異なってくる。
【００６３】
そこで、本第２実施形態に係る運転低減モード制御部４３は、圧縮機１０が停止されている期間であって圧縮機１０が起動される前に、過熱度及び外気温度に基づいて、ＣＨ４０の通電を開始するタイミングを決定する。
すなわち、ヒータＯＮ時間は、（２）式のように表わされる。
ヒータＯＮ時間＝ｆ（過熱度、外気温度）  ・・・（２）
【００６４】
図５は、本第２実施形態に係る過熱度とヒータＯＮ時間との関係を示したグラフである。実線は、破線に比べて外気温度が低い場合を示している。このように、過熱度の値が同じでも、外気温度が低いほど、ＣＨ４０の通電を開始するタイミングが早くされる。また、外気温度が高いほど、ＣＨ４０の通電を開始するタイミングが遅くされる。
【００６５】
従って、本第２実施形態に係る空気調和機１は、クランクケースヒータに通電するタイミングをより正確に決定できる。
【００６６】
以上、本発明を、上記各実施形態を用いて説明したが、本発明の技術的範囲は上記実施形態に記載の範囲には限定されない。発明の要旨を逸脱しない範囲で上記実施形態に多様な変更又は改良を加えることができ、該変更又は改良を加えた形態も本発明の技術的範囲に含まれる。
【００６７】
また、上記実施形態で説明したＣＨ通電処理の流れも一例であり、本発明の主旨を逸脱しない範囲内において不要なステップを削除したり、新たなステップを追加したり、処理順序を入れ替えたりしてもよい。
【符号の説明】
【００６８】
１  空気調和機
１０  圧縮機
４０  クランクケースヒータ
４１  制御部
５０  表示灯
【図１】
2015004473.tif 000003
【図２】
2015004473.tif 000004
【図３】
2015004473.tif 000005
【図４】
2015004473.tif 000006
【図５】
2015004473.tif 000007